(57)【要約】【課題】ます本体の途中に下方へ開く開閉蓋を備えることで雨水の落下は許容するが、蚊の侵入は抑制するという雨水ますが提案されている。しかし、大雨などの際にます本体の水嵩が著しく増し、開閉蓋が押上げられ、破損するという不具合が認められた。【解決手段】傾斜部材２５を支軸２４でスイング可能に支え、傾斜部材２５の一端に重錘２６を取付ける。そして、一端が高く他端が低くなるようにする。降雨時は他端が下がることで雨水の落下を促す。雨水が落下したら重錘２６の作用で傾斜部材２５は復帰する。排水逆流時には傾斜部材２５が支軸２４を中心に回転することで、排水の上昇を可能にする。【効果】本発明の雨水ますは、蚊の侵入を抑え、雨水の落下を促し、排水の逆流にも対応できる。【選択図】        図１
2004285663.tif 000002
【特許請求の範囲】
【請求項１】
排水管や排水溝の途中にます本体を設置し、このます本体の上部に雨水を通す外スクリーンを取付け、外スクリーンの下方に雨水を通す中スクリーン装置を配置した雨水ますにおいて、
前記中スクリーン装置は、前記ます本体に上から装着する枠体と、この枠体に水平に渡した支軸と、この支軸に取付けると共に前記枠体の内断面を塞ぎ得る面積で且つ上下スイング可能とした遮蔽部材と、この遮蔽部材を一方に回転させるために前記遮蔽部材の一端に付設した重錘と、前記遮蔽部材を一端が高く他端が低くなるように、遮蔽部材の一端を抑えるために前記枠体に設けた傾斜位置決めストッパと、から構成したことを特徴とする雨水ます。
【請求項２】
前記枠体に、前記傾斜位置決めストッパで静止した遮蔽部材の他端に当接して気密性を保つシール部材を設け、前記傾斜位置決めストッパの上方に遮蔽部材の全開位置を制限する全開ストッパを設けたことを特徴とする請求項１記載の雨水ます。
【請求項３】
前記遮蔽部材は、１個のます本体につき、互いに平行に配置した第１遮蔽部材と第２遮蔽部材とからなり、双方の傾斜方向を互いに逆にしたことを特徴とする請求項１又は請求項２記載の雨水ます。
【発明の詳細な説明】
【０００１】
【発明の属する技術分野】
本発明は路上や庭に集まる雨水を排水管に流下させる雨水ます（「ます」に枡、桝、マスの字が充てられることがあるが、この明細書では「ます」と表記する。）に関する。
【０００２】
【従来の技術】
地中に埋設する排水管へ、地上の水を流入させるために適当な間隔で雨水ますを設ける。すなわち、雨水ますは地中と地上との連絡路となる。
夏場で雨が少なく、排水管に水が流れていないときに、雨水ますの底に若干の水が溜まることがある。この溜まり水に蚊が卵を産み付け、ぼうふらが発生し、蚊が大量に発生することがあり、その対策が必要となる。
【０００３】
この対策として、ますの内部に中蓋を設けて、蚊の発生や悪臭の飛散を防止することが知られている（例えば、特許文献１参照。）。
【０００４】
【特許文献１】
特開２００２−２０１７０４号公報（図１）
【０００５】
図９は特許文献１の図１の再掲図である。ただし、符号は振り直した。
従来の排水ますＡは、ます本体１１４の上にます蓋１０１を取付け、内部に中蓋１０３（傾斜片１０６，１０６を有す。）を開放可能に取付けたもので、雨水が一定量を超えて一定以上の重力になると巻きばね１１１、１１１のばね力に抗して傾斜片１０６，１０６を開放し、降雨がないときは中蓋１０３の傾斜片１０６，１０６を閉じる。
【０００６】
すなわち、殆どの期間において中蓋１０３が閉じているため、外からの蚊の浸入を防ぐことができる。蚊が浸入しなければ、ぼうふらが発生する虞がない。仮に、ぼうふらが発生したとしても、成虫となった蚊が中蓋で閉じこめられるため、蚊の発生を効果的に防止することができ、且つ、臭気の漏洩も防止することができる。
【０００７】
【発明が解決しようとする課題】
しかしこの構造によると、大雨により排水孔１０２から大量の雨水が溜まり部１１８に溜まり、又は排水管１１３を通じて他のますから水が流入し、溜まり部１１８が増水し、ます本体１１４の水嵩が増し、中蓋１０３、傾斜片１０６を押上げる力を生じ、中蓋１０３、傾斜片１０６は破損することがある。これに対応するために、ますには逆流扉を配設することが必要不可欠となる。
【０００８】
ます本体１１４の満水、逆流時の中蓋１０３、傾斜片１０６の破損を防止するために配設する逆流扉には、雨水が増水したときに作動する逆流扉、あるいはばね仕掛けなどからなる、逆流扉開閉機構を追加する必要がある。
しかし、前記開閉機構などの追加は、雨水ますの構造を複雑にし、コストアップにもつながる。
【０００９】
そこで、本発明の目的は、大雨などにより水が下から上に抜ける逆流時に備えてますに装備する逆流扉を廃止し、より簡素化、単純化した構造の雨水ますを提供することにある。
【００１０】
【課題を解決するための手段】
上記目的を達成するために請求項１は、排水管や排水溝の途中にます本体を設置し、このます本体の上部に雨水を通す外スクリーンを取付け、外スクリーンの下方に雨水を通す中スクリーン装置を配置した雨水ますにおいて、
前記中スクリーン装置は、前記ます本体に上から装着する枠体と、この枠体に水平に渡した支軸と、この支軸に取付けると共に前記枠体の内断面を塞ぎ得る面積で且つ上下スイング可能とした遮蔽部材と、この遮蔽部材を一方に回転させるために前記遮蔽部材の一端に付設した重錘と、前記遮蔽部材を一端が高く他端が低くなるように、遮蔽部材の一端を抑えるために前記枠体に設けた傾斜位置決めストッパと、から構成したことを特徴とする。
【００１１】
この雨水ますは、傾斜部材と、支軸と、重錘とからなる簡便な構造を採用し、雨水逆流時にも作用するため、逆流時の雨水ますの破損を回避することができ、メンテナンスを不要にできる。
【００１２】
請求項２は、前記傾斜位置決めストッパで静止した遮蔽部材の他端に当接して気密性を保つシール部材を設け、前記傾斜位置決めストッパの上方に遮蔽部材の全開位置を制限する全開ストッパを設けたことを特徴とする。
【００１３】
遮蔽部材の他端に当接して気密性を保つシール部材を取付けることで、枠体と遮蔽部材との遮蔽性が高まり、排水溝詰まりのもととなる落ち葉やゴミ・土砂などの無用物が排水溝内部に侵入することを回避することができる。
また遮蔽部材の全開位置を制限する全開ストッパを設けたことで、傾斜部材のスイングを規制することができる。
【００１４】
請求項３は、前記遮蔽部材は、１個のます本体につき、互いに平行に配置した第１遮蔽部材と第２遮蔽部材とからなり、双方の傾斜方向を互いに逆に配置したことを特徴とする。
【００１５】
雨水が溜まり、その重さが重錘の重さを超えると、２枚の遮蔽部材が互いに反対側にスイングするので、雨水の落下のための開口部は、スイングする方向に加え、スイングにより支軸方向、遮蔽部材が相互に隣接した側面にも形成されるため、害虫の侵入を防ぎつつ、溜まった雨水を効果的に排出することができる。
【００１６】
【発明の実施の形態】
本発明の実施の形態を添付図に基づいて以下に説明する。
図１は本発明に係る雨水ますの正面図であり、雨水ます１０は、排水管１１の途中に又は末端に取付けたます本体２０と、このます本体２０の上に被せた外スクリーン２１と、この外スクリーン２１の下方に配置した中スクリーン装置２２とで構成する。配水管１１は排水溝であっても良い。
【００１７】
この中スクリーン装置２２を以下詳細に説明する。
中スクリーン装置２２は、枠体２３と、この枠体２３に（図面表裏方向に）水平に渡した支軸２４と、この支軸２４に取付けると共に枠体２４の内断面を塞ぎ得る面積で且つ上下スイング可能とした遮蔽部材２５と、この遮蔽部材２５を一方に回転させるために遮蔽部材２５の一端に付設した重錘２６と、遮蔽部材２５を一端が高く他端が低くなるように、遮蔽部材２５の一端を抑えるために枠体２３に設けた傾斜位置決めストッパ２７と、からなる構造物である。
なお、２８は全開ストッパ、２９はパッキン、３１はパッキンホルダである。
【００１８】
図２は本発明に係る雨水ますの分解図であり、予め埋設したます本体２０に、枠体２３を含む中スクリーン装置２２を上から装着し、次に外スクリーン２１を取付ける。中スクリーン装置２２はます本体２０の底を掃除するときなどにます本体２０から自由に外せるようにした。
【００１９】
図３は図１の３−３線断面図であり、中スクリーン装置の遮蔽部材２５を支持する支軸２４は、軸受プレート３２、３２及びブラケット３３、３３を用いて枠体２３に水平に取付けたことを示す。
【００２０】
以上の構成からなる雨水ます１０の作用を次に説明する。
図４は非降水時における雨水ますの作用図であり、水平に渡した支軸２４に取付け、一端が高く他端が低くなるように配置した遮蔽部材２５の一端（図左端）に重錘２６を設けることで、図反時計回りに回転するようにした。
【００２１】
この結果、遮蔽部材２５の一端は傾斜位置決めストッパ２７に当って停止し、締切り状態になる。このときに、遮蔽部材２５の他端の上面がパッキン２９を介してパッキンホルダ３１を押圧する構造にすることで、遮蔽部材２５のシール性を高めることができる。
【００２２】
図５は降水時における雨水ますの作用図であり、降雨により遮蔽部材２５の一端に雨水が溜まり、溜まった雨水の重さが重錘２６の重さを超えると、遮蔽部材２５は支軸２６を矢印ａのごとくスイングする。この結果、溜まった雨水は落下する。
【００２３】
このとき遮蔽部材２５は、傾斜位置決めストッパ２７の上方に配置した、遮蔽部材２５の全開位置を制限する全開ストッパ２８に当接して規制される。次に雨水が雨水ますに落下すると、遮蔽部材２５は重錘２６の作用で矢印ａ向きとは逆方向にスイングして元の位置に戻る。
【００２４】
図４に戻って台風や集中豪雨の際に排水溝の水が増水し溢れることがある。このときの対策を次に述べる。
図６は逆流時における雨水ますの作用図であり、増水した水の作用により遮蔽部材２５は矢印ａのごとくスイングし、溢れた水を上側に解放し、中スクリーン装置２２の破損を回避する。このとき、大きくスイングする遮蔽部材２５は、遮蔽部材２５の全開位置を制限する全開ストッパ２８で規制する。
【００２５】
本発明の雨水ますの別実施例を図７、図８で説明する。
図７は本発明の別実施例に係る雨水ますの斜視図であり、１個のます本体２０につき、互いに平行に配置した第１遮蔽部材２５Ａと第２遮蔽部材２５Ｂとを備え、双方の傾斜方向が互いに逆になるようにした雨水ますである。
【００２６】
詳細には、支軸２４に取付け、一端が高く他端が低くなるように配置した第１遮蔽部材２５Ａの一端に重錘２６Ａを設けることで、一方向に回転するようにした。この結果、第１遮蔽部材２５Ａの一端は傾斜位置決めストッパ２７Ａに当って停止し、締切り状態になる。このときに、第１遮蔽部材２５Ａの他端の上面がパッキン２９Ａを押圧する構造にすることで、第１遮蔽部材２５Ａのシール性を高めることができる。
【００２７】
同様に、一端が高く他端が低くなるように配置した第２遮蔽部材２５Ｂの一端に重錘２６Ｂ（不図示）を設けることで、一方向に回転するようにした。この結果、第２遮蔽部材２５Ｂの一端は傾斜位置決めストッパ２７Ｂに当って停止し、締切り状態になる。このときに、第２遮蔽部材２５Ｂの他端の上面がパッキン２９Ｂを押圧する構造にすることで、第２遮蔽部材２５Ｂのシール性を高めることができる。
【００２８】
図８は図７の作用説明図であり、第１遮蔽部材２５Ａと第２遮蔽部材２５Ｂの上に溜まった雨水の重さが重錘２６Ａ、２６Ｂの重さを超えると、第１遮蔽部材２５Ａと第２遮蔽部材２５Ｂは支軸２４を中心にスイングし雨水を落とす。支軸２４の図右において第１遮蔽部材２５Ａが下がり、第２遮蔽部材２５Ｂが上がるため、両部材の間に大きな開口ができるため、多量の雨水を落下させることができる。支軸２４の図左においても同様である。
【００２９】
また、１個の雨水ますに２個の遮蔽部材２５Ａ、２５Ｂを備えるため、万一、一方の遮蔽部材２５Ａが作動不良になっても他方の遮蔽部材２５Ｂが作動するため、雨水ますの点検間隔を延ばすことができる。
【００３０】
尚、本発明に係るます本体２０は一体で構成してあるため、既存雨水ますのサイズに合わせ設計・制作し、後付けで取付けることが可能である。
また、本発明に係る構造は、雨水ます以外の例えば排水ますなどにも応用することができる。
【００３１】
【発明の効果】
本発明は上記構成により次の効果を発揮する。
請求項１では、遮蔽部材のスイングは、傾斜部材と、支軸と、重錘とからなる簡便な機構を採用し、雨水逆流時にも逆流時の雨水ますの破損を回避することができ、また簡便な機構のためメンテナンスを不要にすることができる。
【００３２】
請求項２は、枠体と遮蔽部材の間にシール部材を備えたことを特徴とする。
枠体と遮蔽部材との遮蔽性が高まり、排水溝詰まりの元となる落ち葉やゴミなどの無用物の排水溝内部への侵入を回避することができる。
【００３３】
請求項３は、前記遮蔽部材は、１個のます本体につき、互いに平行に配置した第１遮蔽部材と第２遮蔽部材とからなり、双方の傾斜方向を互いに逆に配置したことを特徴とする。雨水の落下のための開口部面積が広がるため、溜まった雨水を効率よく排出し、排出後は開口部を素早く閉じることができる。
【図面の簡単な説明】
【図１】本発明に係る雨水ますの正面図
【図２】本発明に係る雨水ますの分解図
【図３】図１の３−３線断面図
【図４】非降水時における雨水ますの作用図
【図５】降水時における雨水ますの作用図
【図６】逆流時における雨水ますの作用図
【図７】本発明の別実施例に係る雨水ますの斜視図
【図８】図７の作用説明図
【図９】従来の排水ますの説明図
【符号の説明】
１０…雨水ます、２０…ます本体、２１…外スクリーン、２２…中スクリーン装置、２３…枠体、２４…支軸、２５、２５Ａ、２５Ｂ…遮蔽部材、２６、２６Ａ、２６Ｂ…重錘、２７、２７Ａ、２７Ｂ…傾斜位置決めストッパ、２８、２８Ａ、２８Ｂ…全開ストッパ、２９、２９Ａ、２９Ｂ…パッキン。
【図１】
2004285663.tif 000003
【図２】
2004285663.tif 000004
【図３】
2004285663.tif 000005
【図４】
2004285663.tif 000006
【図５】
2004285663.tif 000007
【図６】
2004285663.tif 000008
【図７】
2004285663.tif 000009
【図８】
2004285663.tif 000010
【図９】
2004285663.tif 000011